【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
第１の電力モードと、当該第１の電力モードよりも消費電力が少ない第２の電力モードとで動作可能な情報処理装置であって、
外部装置から電力供給を受けることで動作可能な近距離無線通信手段と、
前記外部装置から取得したユーザ識別情報に基づいて、ユーザ認証を実行する認証手段とを備え、
前記情報処理装置が前記第２の電力モードで動作する場合、前記近距離無線通信手段は、前記外部装置から電力供給を受けることで動作を開始し、更に、前記近距離無線通信手段は、前記情報処理装置を前記第２の電力モードから前記第１の電力モードに移行させ、
前記近距離無線通信手段によって前記情報処理装置が前記第２の電力モードから前記第１の電力モードに移行した場合、前記認証手段は、前記外部装置から取得したユーザ識別情報に基づいて、ユーザ認証を実行する
ことを特徴とする情報処理装置。
【請求項２】
前記認証手段によるユーザ認証が失敗した場合に、前記情報処理装置は、前記第１の電力モードから前記第２の電力モードに移行する
ことを特徴とする請求項１に記載の情報処理装置。
【請求項３】
前記認証手段によるユーザ認証が失敗した場合とは、前記ユーザ識別情報によって特定されるユーザが正規ユーザではないと前記認証手段によって判定された場合である
ことを特徴とする請求項２に記載の情報処理装置。
【請求項４】
前記情報処理装置の電力モードを制御する電力モード制御手段を更に備え、
前記近距離無線通信手段は、前記情報処理装置を前記第２の電力モードから前記第１の電力モードに移行させるための信号を前記電力モード制御手段に送信し、
前記電力モード制御手段は、前記信号を受信したことに応じて、前記情報処理装置を前記第２の電力モードから前記第１の電力モードに移行させる
ことを特徴とする請求項１乃至３のいずれか１項に記載の情報処理装置。
【請求項５】
前記外部装置が送信した前記ユーザ識別情報を取得する取得手段を更に備え、
前記認証手段は、前記取得手段が取得した前記ユーザ識別情報に基づいて、ユーザ認証を実行する
ことを特徴とする請求項１乃至４のいずれか１項に記載の情報処理装置。
【請求項６】
第１の電力モードと、当該第１の電力モードよりも消費電力が少ない第２の電力モードとで動作可能であり、外部装置から電力供給を受けることで動作可能な近距離無線通信手段と、前記外部装置から取得したユーザ識別情報に基づいて、ユーザ認証を実行する認証手段とを備える情報処理装置の制御方法であって、
前記情報処理装置が前記第２の電力モードで動作する場合、前記近距離無線通信手段が、前記外部装置から電力供給を受けることで動作を開始し、更に、前記近距離無線通信手段が、前記情報処理装置を前記第２の電力モードから前記第１の電力モードに移行させる工程と、
前記近距離無線通信手段によって前記情報処理装置が前記第２の電力モードから前記第１の電力モードに移行した場合、前記認証手段が、前記外部装置から取得したユーザ識別情報に基づいて、ユーザ認証を実行する工程と
を含むことを特徴とする情報処理装置の制御方法。
【請求項７】
請求項６に記載の情報処理装置の制御方法の各工程をコンピュータに実行させるためのプログラム。
【手続補正２】
【補正対象書類名】明細書
【補正対象項目名】発明の名称
【補正方法】変更
【補正の内容】
【発明の名称】情報処理装置及びその制御方法、並びにプログラム
【手続補正３】
【補正対象書類名】明細書
【補正対象項目名】００２１
【補正方法】変更
【補正の内容】
【００２１】
ＲＩＰ２３０はラスタイメージプロセッサ（ＲＩＰ）であり、ページ記述言語（ＰＤＬ）コードやディスプレイリストをビットマップイメージに変換する。デバイスＩ／Ｆ２３１は、スキャナ部２４０やプリンタ部２５０とコントローラユニット２２０とを接続し、画像データの同期系・非同期系の変換を行う。プリンタ画像処理部２３３は、プリンタ部２５０に出力する画像データに対して、そのプリンタ部２５０のプリンタエンジンに応じた補正、解像度変換等の処理を行う。編集用画像処理部２３４は、画像データの回転や画像データの圧縮や伸張等の各種画像処理を行う。スキャナ画像処理部２３５は、スキャナ部２４０から入力した画像データに対し、補正、加工、編集等の各種処理を行う。
【手続補正４】
【補正対象書類名】明細書
【補正対象項目名】００２４
【補正方法】変更
【補正の内容】
【００２４】
このＲＦＩＤタグ１０００は、記憶領域１００１、タグコントローラ１００４、アンテナ部１００５、復変調部１００６、電力生成部１００７を具備し、更に信号送出Ｉ／Ｆ１００２及び有線Ｉ／Ｆ１００３を備える。記憶領域１００１はデータを保持している。
【手続補正５】
【補正対象書類名】明細書
【補正対象項目名】００３９
【補正方法】変更
【補正の内容】
【００３９】
Ｓ７０４では、ＣＰＵ６０２は、タグリーダライタ６１２によりＲＦＩＤタグ１０００にスリープ復帰コマンドを送出する。具体的には、Ｓ７０２で得たタグデータのコマンド記述部のコマンドを復帰コマンドに書き換えて送信する。なお、Ｓ７０４では、情報端末１０９のタグリーダライタ６１２が、図３で説明した電力を供給するための電波信号を送信する。この電波信号によって、複合機１０１において電力が生成され、ＲＦＩＤタグ１０００に電力が供給されることになる。
【手続補正６】
【補正対象書類名】明細書
【補正対象項目名】００４４
【補正方法】変更
【補正の内容】
【００４４】
図９は、実施形態１に係る複合機１０１のＲＦＩＤタグ１０００と電力モード制御部２３６によるスリープ復帰処理を説明するフローチャートである。
【手続補正７】
【補正対象書類名】明細書
【補正対象項目名】００４５
【補正方法】変更
【補正の内容】
【００４５】
この処理は、情報端末１０９が近づけられることによりＲＦＩＤタグ１０００が起動されると開始される。このとき、複合機１０１は、図７のＳ７０４においてタグリーダライタ６１２が送信した電波信号を受信し、当該電波信号によって生成された電力がＲＦＩＤタグ１０００に供給される。まずＳ９０１で、ＲＦＩＤタグ１０００のタグコントローラ１００４は、タグデータのコマンド記述部を読み出すことで、情報端末１０９からのコマンドを受信する。コマンドがスリープ復帰コマンドであった場合、電力モード制御部２３６へ復帰用信号を送出する。次にＳ９０２に進み、電力モード制御部２３６は、復帰信号入力Ｉ／Ｆ２３７からの入力をトリガにして、コントローラユニット２２０の全ての部分への電力供給を開始する。これにより複合機１０１を省電力モードから通常モードに復帰する。次にＳ９０３に進み、電力モード制御部２３６は、復帰要因を電力モード制御部２３６の記憶領域に記憶する。これは復帰信号入力Ｉ／Ｆ２３７において、どの信号線から復帰用信号が入力されたかを識別することで行う。ここでは、ＲＦＩＤタグ１０００に接続される配線から復帰用信号が入力されるため、Ｓ９０３において、復帰要因はＲＦＩＤタグによるものとして記憶される。
【手続補正８】
【補正対象書類名】明細書
【補正対象項目名】００５４
【補正方法】変更
【補正の内容】
【００５４】
まずＳ１００１で、ＣＰＵ２２１はＲＡＭ２２２より、情報端末１０９から受信した認証情報を読み出す。この認証情報はユーザＩＤと、それに対応するパスワードとを含んでいる。次にＳ１００２に進み、ＣＰＵ２２１はＨＤＤ２２４より、例えば図１１で説明した認証データベースを読み出してユーザの認証を行う。具体的には、まずＳ１００１で取得した認証情報のユーザ名に基づいて、ユーザ認証テーブルに同一のユーザ名が存在するかを調べる。存在した場合は、そのユーザ認証テーブルのパスワードと、Ｓ１００１で読み出したパスワードとを比較する。これらが一致すれば要求したのは正規のユーザであることが確認でき、ユーザの認証に成功したと判定する。ユーザの認証に成功するとＣＰＵ２２１はＳ１００３へ処理を進め、認証に失敗したときはＳ１００４へ処理を進める。Ｓ１００３では、ＣＰＵ２２１は認証結果を「成功」としてＲＡＭ２２２に記憶する。一方、Ｓ１００４では、ＣＰＵ２２１は、認証結果を「失敗」としてＲＡＭ２２２に記憶する。
【手続補正９】
【補正対象書類名】明細書
【補正対象項目名】００５９
【補正方法】変更
【補正の内容】
【００５９】
［実施形態３］
前述の実施形態１で、Ｓ７０４のスリープ復帰指示は、情報端末１０９のタグリーダライタ６１２及びＲＦＩＤタグ１０００を通じて、近距離無線通信１１０により行った。
【手続補正１０】
【補正対象書類名】明細書
【補正対象項目名】００７０
【補正方法】変更
【補正の内容】
【００７０】
Ｓ１３０４で、ＣＰＵ６０２は無線ネットワークＩ／Ｆ６０７を介して、サーバ１０７に対して認証依頼を行う。具体的には、Ｓ１３０２で得られたタグデータに含まれる複合機１０１の機体ＩＤと、予めユーザにより入力されたユーザＩＤとパスワードをサーバ１０７に送信する。このデータは図１４のＳ１４０１で、サーバ１０７により受信される。次にＳ１３０５に進み、ＣＰＵ６０２は、サーバ１０７から認証結果を受信する。これは図１４のＳ１４０６でサーバ１０７から送信されるデータである。そしてＳ１３０６に進み、ＣＰＵ６０２は、Ｓ１３０５で受信した認証結果が「成功」かどうかを判定し、成功であればＳ１３０７に進み、「失敗」だった場合はＳ１３０８へ処理を進める。Ｓ１３０７では、ＣＰＵ６０２は実施形態１ないし実施形態３と同様の方法で、複合機１０１にスリープ復帰指示を送信する。この指示に基づいて複合機１０１は、スリープ状態からの復帰を開始する。このスリープ復帰指示を受信した複合機１０１の処理は、前述の実施形態１，３と同様であるため、その説明を省略する。但し、本実施形態４では、認証をサーバ１０７で実施するため、図８のフローチャートにおける複合機での認証処理は不要である。そしてＳ１３０９に進み、ＣＰＵ６０２は、スリープ復帰及び認証が成功したことを操作部６０５に出力すると共に、認証した複合機１０１で利用できる機能に適合した設定画面を表示する。一方、Ｓ１３０８では、ＣＰＵ６０２は複合機１０１のスリープ復帰に失敗したことを操作部６０５に表示する。